(57)【要約】  比較部（２２）は、計測されたバスライン（１１）の電圧値の経時変化、前記電圧値の距離推移、バスライン（１１）のインピーダンス値の経時変化及び前記インピーダンス値の距離推移のうちのいずれかである計測値と、正常時のバスライン（１１）の電圧値の経時変化、前記電圧値の距離推移、バスライン（１１）のインピーダンス値の経時変化及び前記インピーダンス値の距離推移のうちのいずれかである正常値とを比較し、計測値と正常値とを差異を抽出する。不正接続判定部（２４）は、比較部（２２）により抽出された計測値と正常値との差異を評価して、バスライン（１１）に不正な機器が接続されているか否かを判定する。
2018146747.tif 000002
【特許請求の範囲】
【請求項１】
計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異を抽出する比較部と、
前記比較部により抽出された前記計測値と前記正常値との差異を評価して、前記バスラインに不正な機器が接続されているか否かを判定する不正接続判定部とを有する情報処理装置。
【請求項２】
前記情報処理装置は、更に、
高周波ステップ電気信号又はパルス電気信号を前記バスラインに送信する信号送信部と、
前記信号送信部により送信された前記高周波ステップ電気信号又は前記パルス電気信号の反射特性を観測して前記バスラインの電圧値の経時変化、前記電圧値の距離推移、前記バスラインのインピーダンス値の経時変化及び前記インピーダンス値の距離推移のうちのいずれかを計測する計測部とを有し、
前記比較部は、
前記計測値である、前記計測部により計測された前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項３】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかにインパルスノイズが含まれているか否かを判定するノイズ判定部とを有し、
前記比較部は、
前記計測値である、前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項４】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかを平均化する平均化処理部とを有し、
前記比較部は、
前記計測値である、前記平均化処理部により平均化された後の前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項５】
前記比較部は、
前記計測値である、計測された前記バスラインの電圧値の経時変化、前記電圧値の距離推移、前記バスラインのインピーダンス値の経時変化及び前記インピーダンス値の距離推移のうちのいずれかから抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項１に記載の情報処理装置。
【請求項６】
前記情報処理装置は、更に、
高周波ステップ電気信号又はパルス電気信号を前記バスラインに送信する信号送信部と、
前記信号送信部により送信された前記高周波ステップ電気信号又は前記パルス電気信号の反射特性を観測して前記バスラインの電圧値の経時変化、前記電圧値の距離推移、前記バスラインのインピーダンス値の経時変化及び前記インピーダンス値の距離推移のうちのいずれかを計測する計測部とを有し、
前記比較部は、
前記計測部により計測された前記バスラインの電圧値の経時変化、前記電圧値の距離推移、前記バスラインのインピーダンス値の経時変化及び前記インピーダンス値の距離推移のうちのいずれかから特徴量を抽出し、前記計測値である、前記計測部により計測された前記バスラインの電圧値の経時変化、前記電圧値の距離推移、前記バスラインのインピーダンス値の経時変化及び前記インピーダンス値の距離推移のうちのいずれかから抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項７】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかにインパルスノイズが含まれているか否かを判定するノイズ判定部とを有し、
前記比較部は、
前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかから特徴量を抽出し、前記計測値である、前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかから抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項８】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかを平均化する平均化処理部とを有し、
前記比較部は、
前記平均化処理部により平均化された後の前記バスラインの電圧値の経時変化、前記電圧値の距離推移、前記バスラインのインピーダンス値の経時変化及び前記インピーダンス値の距離推移のうちのいずれかから特徴量を抽出し、前記計測値である、前記平均化処理部により平均化された後の前記バスラインの電圧値の経時変化、前記電圧値の距離推移、前記バスラインのインピーダンス値の経時変化及び前記インピーダンス値の距離推移のうちのいずれかから抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項９】
前記不正接続判定部は、
前記計測値と前記正常値との差異が閾値を超えている場合に、前記バスラインに不正な機器が接続されていると判定する請求項１に記載の情報処理装置。
【請求項１０】
前記情報処理装置は、更に、
前記バスラインの周囲の温度を計測する温度計測部を有し、
前記比較部は、
各々に温度レベルが関連付けられている複数の正常値の中から、前記温度計測部により計測された前記バスラインの周囲の温度に対応する温度レベルが関連付けられている正常値を選択し、選択した正常値と前記計測値とを比較する請求項１に記載の情報処理装置。
【請求項１１】
前記情報処理装置は、更に、
前記不正接続判定部の判定結果を外部に通知する判定結果通知部を有する請求項１に記載の情報処理装置。
【請求項１２】
コンピュータが、計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異を抽出し、
前記コンピュータが、抽出された前記計測値と前記正常値との差異を評価して、前記バスラインに不正な機器が接続されているか否かを判定する情報処理方法。
【請求項１３】
計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異を抽出する比較処理と、
前記比較処理により抽出された前記計測値と前記正常値との差異を評価して、前記バスラインに不正な機器が接続されているか否かを判定する不正接続判定処理とをコンピュータに実行させる情報処理プログラム。
【発明の詳細な説明】
【技術分野】
【０００１】
本発明は、バスラインに接続している機器の正当性を検証する技術に関する。
【背景技術】
【０００２】
複数の機器がバスラインに接続するネットワークシステムが普及している。例えば、車載ネットワークとして普及しているＣＡＮ（Ｃｏｎｔｒｏｌｌｅｒ  Ａｒｅａ  Ｎｅｔｗｏｒｋ）は、バス型のネットワークである。バス型のネットワークシステムは、機器の後付けが容易である。このため、１つのバスラインに不特定多数の利用者がアクセス可能なユースケース（例えば、カーシェアリングなど）では、悪意ある利用者によってバスラインに不正な機器を接続される可能性がある。そして、バスラインに不正な機器が接続されると、不正な機器によって、例えば、バスライン上を流れる機密情報が盗聴される可能性、不正なデータがバスライン上の他の機器に送信される可能性がある。
なお、特許文献１では、ケーブル内の不具合箇所の位置を推定する技術が開示されている。
【先行技術文献】
【特許文献】
【０００３】
【特許文献１】特開２００７−３３３４６８号公報
【発明の概要】
【発明が解決しようとする課題】
【０００４】
特許文献１では、バスライン上に送信した高周波ステップ信号の反射特性を観測するＴＤＲ（Ｔｉｍｅ  Ｄｏｍａｉｎ  Ｒｅｆｌｅｃｔｏｍｅｔｒｙ）という技術が示されており、本技術を用いることでケーブル内の不具合箇所の位置を推定する技術が開示されている。しかし、特許文献１の構成では、バスラインに不正な機器が接続されているかを判定することはできない。このため、現状、不正な機器がバスラインに接続されているかを判定するためには、管理者等が目視によりバスラインを確認する作業が必要であり、時間とコストを要するという課題がある。【０００５】
本発明は、このような課題を解決することを主な目的とする。具体的には、本発明は、バスラインに不正な機器が接続されているか否かを効率的に判定できるようにすることを主な目的とする。
【課題を解決するための手段】
【０００６】
本発明に係る情報処理装置は、
計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異を抽出する比較部と、
前記比較部により抽出された前記計測値と前記正常値との差異を評価して、前記バスラインに不正な機器が接続されているか否かを判定する不正接続判定部とを有する。
【発明の効果】
【０００７】
本発明によれば、バスラインに不正な機器が接続されているか否かを効率的に判定することができる。
【図面の簡単な説明】
【０００８】
【図１】実施の形態１に係る不正接続検知装置のハードウェア構成例を示す図。
【図２】実施の形態１に係る不正接続検知装置の機能構成例を示す図。
【図３】実施の形態２に係る不正接続検知装置のハードウェア構成例を示す図。
【図４】実施の形態２に係る不正接続検知装置の機能構成例を示す図。
【図５】実施の形態１に係る不正接続検知装置の全体処理を示すフローチャート。
【図６】実施の形態１に係る不正接続検知装置の波形取得処理を示すフローチャート。
【図７】実施の形態１に係る不正接続検知装置の比較処理を示すフローチャート。
【図８】実施の形態１に係る不正接続検知装置の不正接続判定処理を示すフローチャート。
【図９】実施の形態２に係る不正接続検知装置の全体処理を示すフローチャート。
【図１０】実施の形態２に係る不正接続検知装置の比較処理を示すフローチャート。
【図１１】実施の形態２に係る不正接続検知装置の正常波形取得処理を含む全体処理を示すフローチャート。
【図１２】実施の形態２に係る不正接続検知装置の正常波形取得処理を示すフローチャート。
【図１３】実施の形態１に係る正常波形の例を示す図。
【図１４】実施の形態３に係る不正接続検知装置のハードウェア構成例を示す図。
【図１５】実施の形態３に係る不正接続検知装置の機能構成例を示す図。
【図１６】実施の形態４に係る不正接続検知装置のハードウェア構成例を示す図。
【図１７】実施の形態４に係る不正接続検知装置の機能構成例を示す図。
【図１８】実施の形態３に係る不正接続検知装置の全体処理を示すフローチャート。
【図１９】実施の形態３に係る不正接続検知装置の波形取得処理を示すフローチャート。
【図２０】実施の形態３に係る不正接続検知装置の比較処理を示すフローチャート。
【図２１】実施の形態３に係る不正接続検知装置の不正接続判定処理を示すフローチャート。
【図２２】実施の形態４に係る不正接続検知装置の全体処理を示すフローチャート。
【図２３】実施の形態４に係る不正接続検知装置の比較処理を示すフローチャート。
【図２４】実施の形態４に係る不正接続検知装置の正常特徴量取得処理を含む全体処理を示すフローチャート。
【図２５】実施の形態４に係る不正接続検知装置の正常特徴量取得処理を示すフローチャート。
【発明を実施するための形態】
【０００９】
以下、本発明の実施の形態について、図を用いて説明する。以下の実施の形態の説明及び図面において、同一の符号を付したものは、同一の部分または相当する部分を示す。
【００１０】
実施の形態１．
＊＊＊構成の説明＊＊＊
図１は、実施の形態に係る不正接続検知装置１のハードウェア構成例を示す。
不正接続検知装置１は、バスライン１１に接続されている。
バスライン１１は、例えば、ＣＡＮ（Ｃｏｎｔｏｒｏｌｌｅｒ  Ａｒｅａ  Ｎｅｔｗｏｒｋ）、ＬＩＮ（Ｌｏｃａｌ  Ｉｎｔｅｒｃｏｎｎｅｃｔ  Ｎｅｔｗｏｒｋ）、Ｅｔｈｅｒｎｅｔ（登録商標）等のバスネットワークである。
バスライン１１には、ｎ個の機器１２が接続されている。当該ｎ個の機器１２は、バスライン１１に接続することが許可されている機器であり、正当な機器である。
不正接続検知装置１は、バスライン１１に不正な機器が接続されているか否かを判定する。
不正な機器とは、バスライン１１に接続することが許可されていない機器である。本実施の形態では、図１に示すｎ個の正当な機器以外はバスライン１１に接続することが許可されてないものとする。このため、ｎ個の正当な機器１２以外の機器がバスライン１１に接続されている場合は、不正接続検知装置１は、不正な機器がバスライン１１に接続されていると判定する。また、いずれかの機器１２に代えて新たな機器がバスライン１１に接続されている場合も、不正接続検知装置１は、不正な機器がバスライン１１に接続されていると判定する。また、いずれかの機器１２内の通信ＩＣ（Ｉｎｔｅｇｒａｔｅｄ  Ｃｉｒｃｕｉｔ）が別の通信ＩＣに置き換えられている場合も、バスライン１１は、不正な機器がバスライン１１に接続されていると判定する。
なお、不正接続検知装置１は情報処理装置に相当する。また、不正接続検知装置１で行われる処理は、情報処理方法及び情報処理プログラムに相当する。
【００１１】
不正接続検知装置１は、コンピュータである。
不正接続検知装置１は、ハードウェアとして、記憶装置２、プロセッサ３、電圧センサ４を備える。
記憶装置２には、図２を参照して後述する比較部２２、不正接続判定部２４及び判定結果通知部２６の機能を実現するプログラムが記憶されている。
そして、プロセッサ３がこれらプログラムを実行して、比較部２２、不正接続判定部２４及び判定結果通知部２６の動作を行う。
また、記憶装置２には、図２を参照して後述する正常波形２３及び不正接続判定基準２５が格納されている。
電圧センサ４はバスライン１１に接続されている。電圧センサ４は、バスライン１１の電圧値を計測する。電圧センサ４は、サンプラ回路、コンパレータ、Ａ／Ｄ（Ａｎａｌｏｇ／Ｄｉｇｉｔａｌ）変換器等である。電圧センサ４は、図２を参照して後述する波形取得部２１を実現する。
【００１２】
図２は、本実施の形態に係る不正接続検知装置１の機能構成例を示す。
不正接続検知装置１は、波形取得部２１、比較部２２、不正接続判定部２４、判定結果通知部２６で構成される。
波形取得部２１は、前述したように、電圧センサ４で実現される。
また、前述したように、比較部２２、不正接続判定部２４及び判定結果通知部２６はプログラムで実現される。そして、プロセッサ３がこれらプログラムを実行して、比較部２２、不正接続判定部２４及び判定結果通知部２６の動作を行う。図２では、プロセッサ３が比較部２２、不正接続判定部２４及び判定結果通知部２６の機能を実現するプログラムを実行している状態を模式的に表している。
【００１３】
波形取得部２１は、バスライン１１の電圧値を計測する。また、波形取得部２１は、バスライン１１の電圧値の経時変化を表す波形を取得波形として比較部２２に出力する。
波形取得部２１は計測部に相当する。
【００１４】
比較部２２は、記憶装置２から正常波形２３を取得する。また、比較部２２は、波形取得部２１から出力された取得波形と正常波形２３とを比較する。そして、比較部２２は、比較結果を不正接続判定部２４に出力する。
正常波形２３は、正常時のバスライン１１の電圧値の経時変化を表す波形である。正常とは、バスライン１１にｎ個の正当な機器１２のみが接続されている状態である。
つまり、比較部２２は、波形取得部２１の計測値である、バスライン１１の電圧値の経時変化と、正常値である、正常時のバスライン１１の電圧値の経時変化とを比較する。
比較部２２により行われる動作は、比較処理に相当する。
【００１５】
不正接続判定部２４は、不正接続判定基準２５を取得する。不正接続判定基準２５には、正常波形２３と取得波形との差異の閾値が示される。不正接続判定部２４は、比較部２２から出力された比較結果と不正接続判定基準２５とを比較する。比較結果に示される取得波形と正常波形２３との差異が不正接続判定基準２５以内であれば、不正接続判定部２４は、バスライン１１には不正な機器が接続されていないと判定する。一方、比較結果に示される取得波形と正常波形２３との差異が不正接続判定基準２５を超えていれば、不正接続判定部２４は、バスライン１１には不正な機器が接続されていると判定する。
このように、不正接続判定部２４は、比較部２２により抽出された取得波形と正常波形２３との差異を評価して、バスライン１１に不正な機器が接続されているか否かを判定する。
バスライン１１に不正な機器が接続されていると、不正な機器が接続されている部分の特性インピーダンスが変化し、ＴＤＲの技術によって特性インピーダンスの変化が波形変化として観測できる。不正接続判定部２４は、観測される波形変化の有無や変化量からバスライン１１に不正な機器が接続されているか否かを判定する。
不正接続判定部２４は、不正な機器の接続有無の判定結果を判定結果通知部２６に出力する。
不正接続判定部２４により行われる動作は、不正接続判定処理に相当する。
【００１６】
判定結果通知部２６は、不正接続判定部２４の判定結果を、不正接続検知装置１のユーザに通知する。判定結果通知部２６は、例えば、不正な機器がバスライン１１に接続されている旨の判定結果が得られた場合は、アラームを発行する。
【００１７】
図１３は、正常波形２３の例を示す。
本実施の形態では、比較部２２は、図１３に示すように、電圧値の経時変化を表す正常波形２３を取得波形と比較するが、比較部２２は、正常波形２３の代わりに、単に特定の電圧値を示すスカラー値と取得波形とを比較するようにしてもよい。
また、比較部２２が電圧値の波形の代わりにインピーダンス値の波形を比較対象としてもよい。この場合は、波形取得部２１は、計測された電圧値を印加電圧値に基づいてインピーダンス値に変換する機能を有する。また、経過時間をバスライン１１の長さ方向に変換してもよい。この場合は、波形取得部２１は、計測ポイントにおける経過時間を伝送路遅延時間から長さ方向に変換する機能を有する。そして、比較部２２は、正常時におけるバスライン１１のインピーダンス値の経時変化、長さ方向での電圧値またはインピーダンス値の距離推移が示される波形と、波形取得部２１での変換により得られた波形とを比較する。
【００１８】
＊＊＊動作の説明＊＊＊
本実施の形態に係る不正接続検知装置１の動作フローを図５、図６、図７及び図８を参照して説明する。
【００１９】
不正接続検知装置１に対してユーザから実行指示があると、波形取得部２１が波形取得処理（ステップＳ１０１）を開始する。
波形取得処理の詳細を、図６を用いて説明する。
波形取得処理では、波形取得部２１は、バスライン１１の電圧値の取得を、規定時間が経過するまで、または波形取得停止要求を受信するまで繰り返し実行する（ステップＳ１０１１、１０１２）。
【００２０】
波形取得部２１による波形取得処理が完了すると、比較部２２が比較処理（ステップＳ１０２）を開始する。
比較処理の詳細を、図７を用いて説明する。
比較処理では、比較部２２は、先ず、正常波形２３を記憶装置２から取得する（ステップＳ１０２１）。次に、比較部２２は、正常波形２３と取得波形とを比較する（ステップＳ１０２２）。比較部２２は、例えば、正常波形２３と取得波形との比較として、正常波形２３と取得波形との距離を求めることできる。例えば、比較部２２は、距離として、ユークリッド距離やＤＴＷ（Ｄｙｎａｍｉｃ  Ｔｉｍｅ  Ｗａｒｐｉｎｇ）距離を求める。または、比較方法として、波形の各サンプルポイントの差分を求め、差分波形を求めることができる。
【００２１】
比較部２２による比較処理が完了すると、不正接続判定部２４が不正接続判定処理（ステップＳ１０３）を開始する。
不正接続判定処理の詳細を、図８を用いて説明する。
不正接続判定処理では、不正接続判定部２４は、記憶装置２から不正接続判定基準２５を取得する（ステップＳ１０３１）。次に、不正接続判定部２４は、比較部２２の比較結果に示される正常波形２３と取得波形との差異が不正接続判定基準２５以内であるか否かを判定する（ステップＳ１０３２）。
正常波形２３と取得波形との差異が不正接続判定基準２５以内であれば、不正接続判定部２４は、バスライン１１に不正な機器が接続していないと判定する。一方、正常波形２３と取得波形との差異が不正接続判定基準２５を超えていれば、不正接続判定部２４は、バスライン１１に不正な機器が接続されていると判定する。
【００２２】
不正接続判定部２４による不正接続判定処理が完了すると、判定結果通知部２６が不正接続判定部２４の判定結果を不正接続検知装置１のユーザ又は外部装置に通知する（ステップＳ１０４）。
【００２３】
＊＊＊実施の形態の効果の説明＊＊＊
以上、本実施の形態では、不正接続検知装置１は、バスライン１１の電圧値又はインピーダンス値を計測し、計測した電圧値又はインピーダンス値である計測値と、正常時のバスラインの電圧値又はインピーダンス値である正常値とを比較する。そして、不正接続検知装置１は、計測値と正常値との差異を評価して、バスライン１１に不正な機器が接続されているか否かを判定する。このため、ユーザが目視にて不正な機器の接続を確認する作業が不要になり、効率的に不正な機器の接続有無を判定することができる。
【００２４】
実施の形態２．
本実施の形態では、主に実施の形態１との差異を説明する。以下で説明していない事項は、実施の形態１と同じである。
【００２５】
図３は、本実施の形態に係る不正接続検知装置１のハードウェア構成例を示す。
図３では、図１と比較して、送信器１０５と温度センサ１０６が追加されている。送信器１０５と温度センサ１０６以外の要素は、図１に示したものと同じであるため、説明を省略する。
【００２６】
送信器１０５は、プロセッサ３からの指示に従って、バスライン１１に信号を送信する。
温度センサ１０６は、バスライン１１の周囲の温度を計測する。
【００２７】
図４は、本実施の形態に係る不正接続検知装置１の機能構成例を示す。
図４では、図２と比較して、信号送信部１２７、有効波形判定部１２８、正常波形取得部１２９、温度計測部１３０及び平均化処理部１３１が追加されている。
信号送信部１２７、有効波形判定部１２８、正常波形取得部１２９、温度計測部１３０及び平均化処理部１３１以外の要素は、図２に示したものと同じであるため、説明を省略する。
信号送信部１２７は、図３に示した送信器１０５で実現される。温度計測部１３０は、図３に示した温度センサ１０６で実現される。有効波形判定部１２８、正常波形取得部１２９及び平均化処理部１３１は、プログラムで実現され、当該プログラムはプロセッサ３により実行される。
【００２８】
信号送信部１２７は、バスライン１１に、高周波ステップ電気信号又はパルス電気信号を送信する。本実施の形態では、波形取得部２１は、信号送信部１２７により送信された高周波ステップ電気信号又はパルス電気信号の反射特性を観測してバスライン１１の電圧値の経時変化を計測する。
波形取得部２１は、波形取得の開始タイミング及び終了タイミングを精度よく設定することができ、省メモリ化、処理の高速化が期待できる。
また、本実施の形態では、判定結果通知部２６は、信号送信部１２７からバスライン１１に高周波ステップ電気信号又はパルス電気信号を送信させて、バスライン１１に判定結果を通知してもよい。
【００２９】
有効波形判定部１２８は、波形取得部２１によって取得された取得波形が、不正接続判定部２４の判定に適した有効な波形であるか否かを判定する。例えば、有効波形判定部１２８は、取得波形にインパルスノイズが含まれているか否かを判定する。そして、有効波形判定部１２８は、取得波形にインパルスノイズが含まれていない場合のみ、取得波形を平均化処理部１３１に出力する。有効波形判定部１２８がインパルスノイズが含まれる取得波形を除外することにより、不正接続判定処理においてインパルスノイズの影響を低減することができ、精度よく不正な機器の接続を検知することができる。
有効波形判定部１２８は、ノイズ判定部に相当する。
【００３０】
正常波形取得部１２９は、正常時に波形取得部２１によって取得され、有効波形判定部１２８によって有効な波形と判定された取得波形を正常波形２３として記憶装置２に格納する。正常とは、前述したように、バスライン１１にｎ個の正当な機器１２のみが接続されている状態である。正常波形取得部１２９が正常波形２３を取得することで、高精度に不正な機器の接続を検知することができる。
なお、正常波形取得部１２９は、後述する平均化処理部１３１による平均化処理を経た後の取得波形を正常波形２３として記憶装置２に格納してもよいし、平均化処理部１３１による平均化処理を経ていない取得波形を正常波形２３として記憶装置２に格納してもよい。図３では、正常波形取得部１２９が平均化処理部１３１による平均化処理を経た後の取得波形を正常波形２３として記憶装置２に格納する例を示している。
【００３１】
温度計測部１３０は、バスライン１１の周囲の温度を計測し、計測結果を比較部２２に出力する。また、温度計測部１３０は、計測結果を正常波形取得部１２９にも出力する。正常波形取得部１２９は、正常波形２３と当該正常波形２３が取得された際に温度計測部１３０で計測された温度の温度レベルとを関連付けて記憶装置２に格納する。この結果、記憶装置２には複数の温度レベルと関連付けられた複数の正常波形２３が格納される。比較部２２は、波形取得部２１による取得波形の取得時の温度に対応する温度レベルと関連付けられた正常波形２３を選択する。そして、比較部２２は、選択した正常波形２３を記憶装置２から取得する。このため、不正接続判定部２４は、バスライン１１の周囲温度に応じて、精度よく不正な機器の接続を検知することができる。
【００３２】
平均化処理部１３１は、取得波形を平均化する平均化処理を行う。つまり、平均化処理部１３１は、波形取得部２１によって取得され、有効波形判定部１２８により有効と判定された複数の取得波形から、平均波形を算出する。平均化処理部１３１は、例えば、複数の取得波形を重ね合わせ、平均波形を求める。平均化処理部１３１は、平均波形を比較部２２に出力する。比較部２２は、平均化処理部１３１により得られた平均波形と正常波形２３とを比較する。これにより、不正接続判定部２４は、バスライン１１の電圧に作用するノイズの影響を低減することができ、精度よく不正な機器の接続を検知することができる。
また、平均化処理部１３１は、平均波形を正常波形取得部１２９に出力する。正常波形取得部１２９は、前述したように、平均波形を正常波形２３として記憶装置２に格納する。
【００３３】
＊＊＊動作の説明＊＊＊
本実施の形態に係る不正接続検知装置１の動作フローを図９及び図１０を参照して説明する。
【００３４】
先ず、温度計測部１３０が温度計測処理を行う（ステップＳ１５１）。つまり、温度計測部１３０は、バスライン１１の周囲の温度を計測する。温度計測部１３０は、計測した温度を比較部２２に通知する。
【００３５】
次に、信号送信部１２７が信号送信処理を行う（ステップＳ１５２）。つまり、信号送信部１２７は、バスライン１１に高周波ステップ電気信号又はパルス電気信号を送信する。
【００３６】
次に、波形取得部２１が波形取得処理を行う（ステップＳ１０１）。波形取得処理の詳細は、実施の形態１で説明した通りである。
【００３７】
次に、有効波形判定部１２８が有効波形判定処理を行う（ステップＳ１５３）。つまり、有効波形判定部１２８は、取得波形にインパルスノイズが含まれるか否かを判定する。
取得波形が有効波形である場合、すなわち、取得波形にインパルスノイズが含まれていない場合は、ステップＳ１５４が行われる。また、有効波形判定部１２８は、有効波形である取得波形を平均化処理部１３１に出力する。取得波形が無効波形である場合、すなわち、取得波形にインパルスノイズが含まれている場合は、ステップＳ１０１が再度行われ、信号送信部１２７を含む構成である場合、ステップＳ１５２から再度行われる。
【００３８】
取得波形が有効波形であった場合は、平均化処理部１３１が平均化処理を行う（ステップＳ１５４）。つまり、平均化処理部１３１は、複数の取得波形を用いて平均波形を得る。
平均化のための取得波形が足りない場合は、ステップＳ１５２が再度行われる。取得波形が足りていて平均波形が得られた場合は、ステップＳ１０２が行われる。また、平均波形が得られた場合は、平均化処理部１３１は、比較部２２に平均波形を出力する。
【００３９】
平均波形が得られた場合は、比較部２２が比較処理を行う（ステップＳ１０２）。
本実施の形態に係る比較処理の詳細を、図１０を用いて説明する。
本実施の形態では、比較部２２は、先ず、温度計測部１３０で計測された温度に対応する正常波形２３を記憶装置２から取得する（ステップＳ１０２３）。次に、比較部２２は、取得した正常波形２３と取得波形とを比較する（ステップＳ１０２２）。ステップＳ１０２２の詳細は、実施の形態１で説明した通りである。
【００４０】
比較処理の後は、不正接続判定処理（ステップＳ１０３）及び判定結果通知処理（ステップＳ１０４）が行われる。不正接続判定処理及び判定結果通知処理の詳細は、実施の形態１で説明した通りである。
【００４１】
次に、正常波形取得部１２９による正常波形取得処理を図１１及び図１２を用いて説明する。
【００４２】
図１１において、ステップＳ１５１〜Ｓ１５４は、図９に示したものと同じであるため、説明を省略する。
ステップＳ１５４で平均波形が得られた場合に、正常波形取得部１２９が正常波形取得処理を行う（ステップＳ１５５）。
正常波形取得処理の詳細を、図１２を用いて説明する。
正常波形取得部１２９は、平均化処理部１３１により得られた平均波形を、温度計測部１３０で計測された温度の温度レベルと関連付けて記憶装置２に格納する（ステップＳ１５５１）。
＊＊＊実施の形態の効果の説明＊＊＊
以上、本実施の形態によれば、不正接続検知装置１は、実施の形態１に比べて、より精度よく不正な機器の接続を検出することができる。
【００４３】
実施の形態３．
本実施の形態では、主に実施の形態１との差異を説明する。以下で説明していない事項は、実施の形態１と同じである。
【００４４】
図１４は、本実施の形態に係る不正接続検知装置２０１のハードウェア構成例を示す。不正接続検知装置２０１は、情報処理装置に相当する。また、不正接続検知装置２０１で行われる処理は、情報処理方法及び情報処理プログラムに相当する。
不正接続検知装置２０１は、バスライン１１に接続されている。
バスライン１１は、実施の形態１で示したものと同じある。
また、バスライン１１に接続されているｎ個の機器１２も、実施の形態１で説明したものと同じである。
不正接続検知装置２０１は、コンピュータであり、ハードウェアとして、記憶装置２０２、プロセッサ２０３、電圧センサ２０４を備える。
記憶装置２０２は、図１に示す記憶装置２と同じである。プロセッサ２０３は、図１に示すプロセッサ３と同じである。電圧センサ２０４は、図１に示す電圧センサ４と同じである。
【００４５】
図１５は、本実施の形態に係る不正接続検知装置２０１の機能構成例を示す。
不正接続検知装置２０１は、波形取得部２２１、比較部２２２、不正接続判定部２２４、判定結果通知部２２６で構成される。波形取得部２２１は、電圧センサ２０４で実現される。比較部２２２、不正接続判定部２２４及び判定結果通知部２２６は、プログラムで実現され、プロセッサ２０３が当該プログラムを実行する。
【００４６】
波形取得部２２１は、バスライン１１の電圧値を計測する。また、波形取得部２２１は、バスライン１１の電圧値の経時変化を表す波形を取得波形として比較部２２２に出力する。
波形取得部２２１は、計測部に相当する。
【００４７】
比較部２２２は、記憶装置２から正常特徴量２２３を取得する。また、比較部２２２は、波形取得部２２１から出力された取得波形から特徴量を算出する。そして、比較部２２２は、算出した取得波形の特徴量と正常特徴量２２３とを比較する。更に、比較部２２２は、比較結果を不正接続判定部２２４に出力する。
正常特徴量２２３は、正常時のバスライン１１の電圧値の経時変化を表す波形から算出された特徴量である。正常とは、バスライン１１にｎ個の正当な機器１２のみが接続されている状態である。
なお、特徴量の算出手法については後述する。
比較部２２２により行われる動作は、比較処理に相当する。
【００４８】
不正接続判定部２２４は、不正接続判定基準２２５を取得する。不正接続判定基準２２５には、正常特徴量２２３と取得波形の特徴量との差異の閾値が示される。不正接続判定部２２４は、比較部２２２から出力された比較結果と不正接続判定基準２２５とを比較する。比較結果に示される取得波形の特徴量と正常特徴量２２３との差異が不正接続判定基準２２５以内であれば、不正接続判定部２２４は、バスライン１１には不正な機器が接続されていないと判定する。一方、比較結果に示される取得波形の特徴量と正常特徴量２２３との差異が不正接続判定基準２２５を超えていれば、不正接続判定部２２４は、バスライン１１には不正な機器が接続されていると判定する。
このように、不正接続判定部２２４は、比較部２２２により算出された取得波形の特徴量と正常特徴量２２３との差異を評価して、バスライン１１に不正な機器が接続されているか否かを判定する。
不正接続判定部２２４は、不正な機器の接続有無の判定結果を判定結果通知部２２６に出力する。
不正接続判定部２２４により行われる動作は、不正接続判定処理に相当する。
【００４９】
判定結果通知部２２６は、不正接続判定部２２４の判定結果を、不正接続検知装置２０１のユーザに通知する。判定結果通知部２２６は、例えば、不正な機器がバスライン１１に接続されている旨の判定結果が得られた場合は、アラームを発行する。
【００５０】
＊＊＊動作の説明＊＊＊
本実施の形態に係る不正接続検知装置２０１の動作フローを図１８、図１９、図２０及び図２１を参照して説明する。
【００５１】
不正接続検知装置１に対してユーザから実行指示があると、波形取得部２２１が波形取得処理（ステップＳ２０１）を開始する。
波形取得処理の詳細を、図１９を用いて説明する。
波形取得処理では、波形取得部２２１は、バスライン１１の電圧値の取得を、規定時間が経過するまで、または波形取得停止要求を受信するまで繰り返し実行する（ステップＳ２０１１、２０１２）。
【００５２】
波形取得部２２１による波形取得処理が完了すると、比較部２２２が比較処理（ステップＳ２０２）を開始する。
比較処理の詳細を、図２０を用いて説明する。
比較処理では、比較部２２２は、先ず、正常特徴量２２３を記憶装置２から取得する（ステップＳ２０２１）。
次に、比較部２２２は、波形取得部２２１によって取得された取得波形から特徴量を算出する（ステップＳ２０２２）。比較部２２２は、例えば、ＳＶＤ（Ｓｉｎｇｕｌａｒ  Ｖａｌｕｅ  Ｄｅｃｏｍｐｏｓｉｔｉｏｎ）などを用いて取得波形の特徴量を算出する。次に、比較部２２２は、正常特徴量２２３と取得波形の特徴量とを比較する（ステップＳ２０２３）。
【００５３】
比較部２２２による比較処理が完了すると、不正接続判定部２２４が不正接続判定処理（ステップＳ２０３）を開始する。
不正接続判定処理の詳細を、図２０を用いて説明する。
不正接続判定処理では、不正接続判定部２２４は、記憶装置２から不正接続判定基準２２５を取得する（ステップＳ２０３１）。次に、不正接続判定部２２４は、比較部２２２の比較結果に示される正常特徴量２２３と取得波形の特徴量との差異が不正接続判定基準２２５以内であるか否かを判定する（ステップＳ２０３２）。
正常特徴量２２３と取得波形の特徴量との差異が不正接続判定基準２２５以内であれば、不正接続判定部２２４は、バスライン１１に不正な機器が接続していないと判定する。一方、正常特徴量２２３と取得波形の特徴量との差異が不正接続判定基準２２５を超えていれば、不正接続判定部２２４は、バスライン１１に不正な機器が接続されていると判定する。
【００５４】
不正接続判定部２２４による不正接続判定処理が完了すると、判定結果通知部２２６が不正接続判定部２２４の判定結果を１のユーザ又は外部装置に通知する（ステップＳ２０４）。
【００５５】
＊＊＊実施の形態の効果の説明＊＊＊
本実施の形態では、不正接続検知装置２０１は特徴量を用いてバスライン１１に不正な機器が接続されているか否かを判定する。このため、本実施の形態によれば、実施の形態１に比べて少ない計算負荷でバスライン１１に不正な機器が接続されているか否かを判定することができる。
【００５６】
実施の形態４．
本実施の形態では、主に実施の形態３との差異を説明する。以下で説明していない事項は、実施の形態３と同じである。
【００５７】
図１６は、本実施の形態に係る不正接続検知装置２０１のハードウェア構成例を示す。
図１６では、図１４と比較して、送信器３０５と温度センサ３０６が追加されている。送信器３０５と温度センサ３０６以外の要素は、図１４に示したものと同じであるため、説明を省略する。
【００５８】
送信器３０５は、プロセッサ２０３からの指示に従って、バスライン１１に信号を送信する。
温度センサ３０６は、バスライン１１の周囲の温度を計測する。
【００５９】
図１７は、本実施の形態に係る不正接続検知装置２０１の機能構成例を示す。
図１７では、図１５と比較して、信号送信部３２７、有効波形判定部３２８、正常特徴量取得部３２９、温度計測部３３０及び平均化処理部３３１が追加されている。
信号送信部３２７、有効波形判定部３２８、正常特徴量取得部３２９、温度計測部３３０及び平均化処理部３３１以外の要素は、図１５に示したものと同じであるため、説明を省略する。
信号送信部３２７は、図１６に示した送信器３０５で実現される。温度計測部３３０は、図１６に示した温度センサ３０６で実現される。有効波形判定部３２８、正常特徴量取得部３２９及び平均化処理部３３１は、プログラムで実現され、当該プログラムはプロセッサ２０３により実行される。
【００６０】
信号送信部３２７は、バスライン１１に、高周波ステップ電気信号又はパルス電気信号を送信する。本実施の形態では、波形取得部２２１は、信号送信部１２７により送信された高周波ステップ電気信号又はパルス電気信号の反射特性を観測してバスライン１１の電圧値の経時変化を計測する。
波形取得部２２１は、波形取得の開始タイミング及び終了タイミングを精度よく設定することができ、省メモリ化、処理の高速化が期待できる。
また、本実施の形態では、判定結果通知部２２６は、信号送信部３２７からバスライン１１に高周波ステップ電気信号又はパルス電気信号を送信させて、バスライン１１に判定結果を通知してもよい。
【００６１】
有効波形判定部３２８は、波形取得部２２１によって取得された取得波形が、不正接続判定部２２４の判定に適した有効な波形であるか否かを判定する。例えば、有効波形判定部３２８は、取得波形にインパルスノイズが含まれているか否かを判定する。そして、有効波形判定部３２８は、取得波形にインパルスノイズが含まれていない場合のみ、取得波形を平均化処理部３３１に出力する。有効波形判定部３２８がインパルスノイズが含まれる取得波形を除外することにより、不正接続判定処理においてインパルスノイズの影響を低減することができ、精度よく不正な機器の接続を検知することができる。
有効波形判定部３２８は、ノイズ判定部に相当する。
【００６２】
正常特徴量取得部３２９は、正常時に波形取得部２２１によって取得され、有効波形判定部３２８によって有効な波形と判定された取得波形から特徴量を算出し、算出した特徴量を正常特徴量２２３として記憶装置２に格納する。正常とは、前述したように、バスライン１１にｎ個の正当な機器１２のみが接続されている状態である。正常特徴量取得部３２９が正常特徴量２２３を取得することで、高精度に不正な機器の接続を検知することができる。
なお、正常特徴量取得部３２９は、後述する平均化処理部３３１による平均化処理を経た後の取得波形から得られた特徴量を正常特徴量２２３として記憶装置２に格納してもよいし、平均化処理部３３１による平均化処理を経ていない取得波形から得られた特徴量を正常特徴量２２３として記憶装置２に格納してもよい。図１７では、正常特徴量取得部３２９が平均化処理部３３１による平均化処理を経た後の取得波形から得られた特徴量を正常特徴量２２３として記憶装置２に格納する例を示している。
【００６３】
温度計測部３３０は、バスライン１１の周囲の温度を計測し、計測結果を比較部２２２に出力する。また、温度計測部３３０は、計測結果を正常特徴量取得部３２９にも出力する。正常特徴量取得部３２９は、正常特徴量２２３と当該正常特徴量２２３が取得された際に温度計測部３３０で計測された温度の温度レベルとを関連付けて記憶装置２に格納する。この結果、記憶装置２には複数の温度レベルと関連付けられた複数の正常特徴量２２３が格納される。比較部２２２は、波形取得部２２１による取得波形の取得時の温度に対応する温度レベルと関連付けられた正常特徴量２２３を選択する。そして、比較部２２２は、選択した正常特徴量２２３を記憶装置２から取得する。このため、不正接続判定部２２４は、バスライン１１の周囲温度に応じて、精度よく不正な機器の接続を検知することができる。
【００６４】
平均化処理部３３１は、取得波形を平均化する平均化処理を行う。つまり、平均化処理部３３１は、波形取得部２２１によって取得され、有効波形判定部３２８により有効と判定された複数の取得波形から、平均波形を算出する。平均化処理部３３１は、例えば、複数の取得波形を重ね合わせ、平均波形を求める。平均化処理部３３１は、平均波形を比較部２２２に出力する。比較部２２２は、平均化処理部３３１により得られた平均波形から得られた特徴量と正常特徴量２２３とを比較する。これにより、不正接続判定部２２４は、バスライン１１の電圧に作用するノイズの影響を低減することができ、精度よく不正な機器の接続を検知することができる。
また、平均化処理部３３１は、平均波形を正常特徴量取得部３２９に出力する。正常特徴量取得部３２９は、前述したように、平均波形から算出された特徴量を正常特徴量２２３として記憶装置２に格納する。
【００６５】
＊＊＊動作の説明＊＊＊
本実施の形態に係る不正接続検知装置２０１の動作フローを図２２及び図２３を参照して説明する。
【００６６】
先ず、温度計測部３３０が温度計測処理を行う（ステップＳ２５１）。つまり、温度計測部３３０は、バスライン１１の周囲の温度を計測する。温度計測部３３０は、計測した温度を比較部２２２に通知する。
【００６７】
次に、信号送信部３２７が信号送信処理を行う（ステップＳ２５２）。つまり、信号送信部３２７は、バスライン１１に高周波ステップ電気信号又はパルス電気信号を送信する。
【００６８】
次に、波形取得部２２１が波形取得処理を行う（ステップＳ２０１）。波形取得処理の詳細は、実施の形態３で説明した通りである。
【００６９】
次に、有効波形判定部３２８が有効波形判定処理を行う（ステップＳ２５３）。つまり、有効波形判定部３２８は、取得波形にインパルスノイズが含まれるか否かを判定する。
取得波形が有効波形である場合、すなわち、取得波形にインパルスノイズが含まれていない場合は、ステップＳ２５４が行われる。また、有効波形判定部３２８は、有効波形である取得波形を平均化処理部３３１に出力する。取得波形が無効波形である場合、すなわち、取得波形にインパルスノイズが含まれている場合は、ステップＳ２０１が再度行われ、信号送信部３２７を含む構成である場合、ステップＳ２５２から再度行われる。
【００７０】
取得波形が有効波形であった場合は、平均化処理部３３１が平均化処理を行う（ステップＳ２５４）。つまり、平均化処理部３３１は、複数の取得波形を用いて平均波形を得る。
平均化のための取得波形が足りない場合は、ステップＳ２５２が再度行われる。取得波形が足りていて平均波形が得られた場合は、ステップＳ２０２が行われる。また、平均波形が得られた場合は、平均化処理部３３１は、比較部２２２に平均波形を出力する。
【００７１】
平均波形が得られた場合は、比較部２２２が比較処理を行う（ステップＳ２０２）。
本実施の形態に係る比較処理の詳細を、図２３を用いて説明する。
本実施の形態では、比較部２２２は、先ず、温度計測部３３０で計測された温度に対応する正常特徴量２２３を記憶装置２から取得する（ステップＳ２０２４）。次に、比較部２２２は、波形取得部２２１によって取得された取得波形から特徴量を算出する（ステップＳ２０２２）。次に、比較部２２２は、正常特徴量２２３と取得波形の特徴量とを比較する（ステップＳ２０２３）。ステップＳ２０２２及びＳ２０２３の詳細は、実施の形態３で説明した通りである。
【００７２】
比較処理の後は、不正接続判定処理（ステップＳ２０３）及び判定結果通知処理（ステップＳ２０４）が行われる。不正接続判定処理及び判定結果通知処理の詳細は、実施の形態３で説明した通りである。
【００７３】
次に、正常特徴量取得部３２９による正常特徴量取得処理を図２４及び図２５を用いて説明する。
【００７４】
図２４において、ステップＳ２５１〜Ｓ２５４は、図２２に示したものと同じであるため、説明を省略する。
ステップＳ２５４で平均波形が得られた場合に、正常特徴量取得部３２９が正常特徴量取得処理を行う（ステップＳ２５５）。
正常特徴量取得処理の詳細を、図２５を用いて説明する。
正常特徴量取得部３２９は、平均化処理部３３１により得られた平均波形から正常特徴量２２３を算出する（ステップＳ２５５１）。そして、正常特徴量取得部３２９は、算出した正常特徴量２２３を、温度計測部３３０で計測された温度の温度レベルと関連付けて記憶装置２に格納する（ステップＳ２５５２）。
【００７５】
＊＊＊実施の形態の効果の説明＊＊＊
以上、本実施の形態によれば、不正接続検知装置２０１は、実施の形態３に比べて、より精度よく不正な機器の接続を検出することができる。
【００７６】
以上、本発明の実施の形態について説明したが、これら２つの実施の形態を組み合わせて実施しても構わない。
あるいは、これら２つの実施の形態のうち、１つを部分的に実施しても構わない。
あるいは、これら２つの実施の形態を部分的に組み合わせて実施しても構わない。
なお、本発明は、これらの実施の形態に限定されるものではなく、必要に応じて種々の変更が可能である。
また、実施の形態１〜４では、電圧値の経時変化に対する処理を説明した。実施の形態１〜４で説明した処理は、電圧値の経時変化の他に、電圧値の距離推移、インピーダンス値の経時変化、インピーダンス値の距離推移に対しても適用可能である。つまり、実施の形態１〜４に記載の「電圧値の経時変化」は、「電圧値の距離推移」、「インピーダンス値の経時変化」、「インピーダンス値の距離推移」に読み替えることができる。
【００７７】
＊＊＊ハードウェア構成の説明＊＊＊
最後に、不正接続検知装置１及び不正接続検知装置２０１のハードウェア構成の補足説明を行う。
プロセッサ３及びプロセッサ２０３は、プロセッシングを行うＩＣ（Ｉｎｔｅｇｒａｔｅｄ  Ｃｉｒｃｕｉｔ）である。
プロセッサ３及びプロセッサ２０３は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
記憶装置２及び記憶装置２０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
【００７８】
また、記憶装置２及び記憶装置２０２には、ＯＳ（Ｏｐｅｒａｔｉｎｇ  Ｓｙｓｔｅｍ）も記憶されている。
そして、ＯＳの少なくとも一部がプロセッサ３及びプロセッサ２０３により実行される。
プロセッサ３はＯＳの少なくとも一部を実行しながら、比較部２２、不正接続判定部２４、判定結果通知部２６、信号送信部１２７、有効波形判定部１２８、正常波形取得部１２９、温度計測部１３０及び平均化処理部１３１の機能を実現するプログラムを実行する。
また、プロセッサ２０３はＯＳの少なくとも一部を実行しながら、比較部２２２、不正接続判定部２２４、判定結果通知部２２６、信号送信部３２７、有効波形判定部３２８、正常特徴量取得部３２９、温度計測部３３０及び平均化処理部３３１の機能を実現するプログラムを実行する。
プロセッサ３及びプロセッサ２０３がＯＳを実行することで、タスク管理、メモリ管理、ファイル管理、通信制御等が行われる。
また、比較部２２、不正接続判定部２４、判定結果通知部２６、信号送信部１２７、有効波形判定部１２８、正常波形取得部１２９、温度計測部１３０及び平均化処理部１３１の処理の結果を示す情報、データ、信号値及び変数値の少なくともいずれかが、記憶装置２、プロセッサ３内のレジスタ及びキャッシュメモリの少なくともいずれかに記憶される。
同様に、比較部２２２、不正接続判定部２２４、判定結果通知部２２６、信号送信部３２７、有効波形判定部３２８、正常特徴量取得部３２９、温度計測部３３０及び平均化処理部３３１の処理の結果を示す情報、データ、信号値及び変数値の少なくともいずれかが、記憶装置２０２、プロセッサ２０３内のレジスタ及びキャッシュメモリの少なくともいずれかに記憶される。
また、比較部２２、不正接続判定部２４、判定結果通知部２６、信号送信部１２７、有効波形判定部１２８、正常波形取得部１２９、温度計測部１３０及び平均化処理部１３１の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
同様に、比較部２２２、不正接続判定部２２４、判定結果通知部２２６、信号送信部３２７、有効波形判定部３２８、正常特徴量取得部３２９、温度計測部３３０及び平均化処理部３３１の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００７９】
また、比較部２２、不正接続判定部２４、判定結果通知部２６、信号送信部１２７、有効波形判定部１２８、正常波形取得部１２９、温度計測部１３０、平均化処理部１３１、比較部２２２、不正接続判定部２２４、判定結果通知部２２６、信号送信部３２７、有効波形判定部３２８、正常特徴量取得部３２９、温度計測部３３０及び平均化処理部３３１の「部」を、「回路」又は「工程」又は「手順」又は「処理」に読み替えてもよい。
また、不正接続検知装置１及び不正接続検知装置２０１は、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）といった電子回路により実現されてもよい。
なお、プロセッサ及び上記の電子回路を総称してプロセッシングサーキットリーともいう。
【符号の説明】
【００８０】
１  不正接続検知装置、２  記憶装置、３  プロセッサ、４  電圧センサ、１１  バスライン、１２  機器、２１  波形取得部、２２  比較部、２３  正常波形、２４  不正接続判定部、２５  不正接続判定基準、２６  判定結果通知部、１０５  送信器、１０６  温度センサ、１２７  信号送信部、１２８  有効波形判定部、１２９  正常波形取得部、１３０  温度計測部、１３１  平均化処理部、２０１  不正接続検知装置、２０２  記憶装置、２０３  プロセッサ、２０４  電圧センサ、２２１  波形取得部、２２２  比較部、２２３  正常特徴量、２２４  不正接続判定部、２２５  不正接続判定基準、２２６  判定結果通知部、３０５  送信器、３０６  温度センサ、３２７  信号送信部、３２８  有効波形判定部、３２９  正常特徴量取得部、３３０  温度計測部、３３１  平均化処理部。
【図１】
2018146747.tif 000003
【図２】
2018146747.tif 000004
【図３】
2018146747.tif 000005
【図４】
2018146747.tif 000006
【図５】
2018146747.tif 000007
【図６】
2018146747.tif 000008
【図７】
2018146747.tif 000009
【図８】
2018146747.tif 000010
【図９】
2018146747.tif 000011
【図１０】
2018146747.tif 000012
【図１１】
2018146747.tif 000013
【図１２】
2018146747.tif 000014
【図１３】
2018146747.tif 000015
【図１４】
2018146747.tif 000016
【図１５】
2018146747.tif 000017
【図１６】
2018146747.tif 000018
【図１７】
2018146747.tif 000019
【図１８】
2018146747.tif 000020
【図１９】
2018146747.tif 000021
【図２０】
2018146747.tif 000022
【図２１】
2018146747.tif 000023
【図２２】
2018146747.tif 000024
【図２３】
2018146747.tif 000025
【図２４】
2018146747.tif 000026
【図２５】
2018146747.tif 000027
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異として、前記計測値と前記正常値との距離を抽出する比較部と、
前記比較部により抽出された前記計測値と前記正常値との差異である前記計測値と前記正常値との距離を評価して、前記バスラインに不正な機器が接続されているか否かを判定する不正接続判定部とを有する情報処理装置。
【請求項２】
前記情報処理装置は、更に、
高周波ステップ電気信号又はパルス電気信号を前記バスラインに送信する信号送信部と、
前記信号送信部により送信された前記高周波ステップ電気信号又は前記パルス電気信号の反射特性を観測して前記バスラインの電圧値の経時変化、前記電圧値の距離推移、前記バスラインのインピーダンス値の経時変化及び前記インピーダンス値の距離推移のうちのいずれかを計測する計測部とを有し、
前記比較部は、
前記計測値である、前記計測部により計測された前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項３】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかにインパルスノイズが含まれているか否かを判定するノイズ判定部とを有し、
前記比較部は、
前記計測値である、前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項４】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかを平均化する平均化処理部とを有し、
前記比較部は、
前記計測値である、前記平均化処理部により平均化された後の前記バスラインの電圧値の経時変化、前記電圧値の距離推移、前記バスラインのインピーダンス値の経時変化及び前記インピーダンス値の距離推移のうちのいずれかと、前記正常値である、正常時の前記バスラインの電圧値の経時変化、前記電圧値の距離推移、前記バスラインのインピーダンス値の経時変化及び前記インピーダンス値の距離推移のうちのいずれかとを比較する請求項１に記載の情報処理装置。
【請求項５】
計測値である、計測されたバスラインの電圧値の経時変化、前記電圧値の距離推移、前記バスラインのインピーダンス値の経時変化及び前記インピーダンス値の距離推移のうちのいずれかからＳＶＤ（Ｓｉｎｇｕｌａｒ  Ｖａｌｕｅ  Ｄｅｃｏｍｐｏｓｉｔｉｏｎ）を用いて抽出された特徴量と、正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較し、前記計測値の特徴量と前記正常値の特徴量との差異を抽出する比較部と、
前記比較部により抽出された前記計測値の特徴量と前記正常値の特徴量との差異を評価して、前記バスラインに不正な機器が接続されているか否かを判定する不正接続判定部とを有する情報処理装置。
【請求項６】
前記情報処理装置は、更に、
高周波ステップ電気信号又はパルス電気信号を前記バスラインに送信する信号送信部と、
前記信号送信部により送信された前記高周波ステップ電気信号又は前記パルス電気信号の反射特性を観測して前記バスラインの電圧値の経時変化、前記電圧値の距離推移、前記バスラインのインピーダンス値の経時変化及び前記インピーダンス値の距離推移のうちのいずれかを計測する計測部とを有し、
前記比較部は、
前記計測部により計測された前記バスラインの電圧値の経時変化、前記電圧値の距離推移、前記バスラインのインピーダンス値の経時変化及び前記インピーダンス値の距離推移のうちのいずれかから前記ＳＶＤを用いて特徴量を抽出し、前記計測値である、前記計測部により計測された前記バスラインの電圧値の経時変化、前記電圧値の距離推移、前記バスラインのインピーダンス値の経時変化及び前記インピーダンス値の距離推移のうちのいずれかから前記ＳＶＤを用いて抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項７】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかにインパルスノイズが含まれているか否かを判定するノイズ判定部とを有し、
前記比較部は、
前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかから前記ＳＶＤを用いて特徴量を抽出し、前記計測値である、前記ノイズ判定部により前記インパルスノイズが含まれていないと判定された前記バスラインの電圧値の経時変化、前記電圧値の距離推移、前記バスラインのインピーダンス値の経時変化及び前記インピーダンス値の距離推移のうちのいずれかから前記ＳＶＤを用いて抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項８】
前記情報処理装置は、更に、
前記バスラインの電圧値の経時変化、前記電圧値の距離推移、前記バスラインのインピーダンス値の経時変化及び前記インピーダンス値の距離推移のうちのいずれかを計測する計測部と、
前記計測部により計測された前記バスラインの電圧値の経時変化、前記電圧値の距離推移、前記バスラインのインピーダンス値の経時変化及び前記インピーダンス値の距離推移のうちのいずれかを平均化する平均化処理部とを有し、
前記比較部は、
前記平均化処理部により平均化された後の前記バスラインの電圧値の経時変化、前記電圧値の距離推移、前記バスラインのインピーダンス値の経時変化及び前記インピーダンス値の距離推移のうちのいずれかから前記ＳＶＤを用いて特徴量を抽出し、前記計測値である、前記平均化処理部により平均化された後の前記バスラインの電圧値の経時変化、前記電圧値の距離推移、前記バスラインのインピーダンス値の経時変化及び前記インピーダンス値の距離推移のうちのいずれかから前記ＳＶＤを用いて抽出された特徴量と、前記正常値である、正常時の前記バスラインの電圧値の経時変化、前記電圧値の距離推移、前記バスラインのインピーダンス値の経時変化及び前記インピーダンス値の距離推移のうちのいずれかから抽出された特徴量とを比較する請求項５に記載の情報処理装置。
【請求項９】
前記不正接続判定部は、
前記比較部により抽出された差異が閾値を超えている場合に、前記バスラインに不正な機器が接続されていると判定する請求項１又は５に記載の情報処理装置。
【請求項１０】
前記情報処理装置は、更に、
前記バスラインの周囲の温度を計測する温度計測部を有し、
前記比較部は、
各々に温度レベルが関連付けられている複数の正常値の中から、前記温度計測部により計測された前記バスラインの周囲の温度に対応する温度レベルが関連付けられている正常値を選択する請求項１又は５に記載の情報処理装置。
【請求項１１】
前記情報処理装置は、更に、
前記不正接続判定部の判定結果を外部に通知する判定結果通知部を有する請求項１又は５に記載の情報処理装置。
【請求項１２】
コンピュータが、計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異として、前記計測値と前記正常値との距離を抽出し、
前記コンピュータが、抽出された前記計測値と前記正常値との差異である前記計測値と前記正常値との距離を評価して、前記バスラインに不正な機器が接続されているか否かを判定する情報処理方法。
【請求項１３】
計測されたバスラインの電圧値の経時変化、前記電圧値の距離推移、前記バスラインのインピーダンス値の経時変化及び前記インピーダンス値の距離推移のうちのいずれかである計測値と、正常時の前記バスラインの電圧値の経時変化、前記電圧値の距離推移、前記バスラインのインピーダンス値の経時変化及び前記インピーダンス値の距離推移のうちのいずれかである正常値とを比較し、前記計測値と前記正常値との差異として、前記計測値と前記正常値との距離を抽出する比較処理と、
前記比較処理により抽出された前記計測値と前記正常値との差異である前記計測値と前記正常値との距離を評価して、前記バスラインに不正な機器が接続されているか否かを判定する不正接続判定処理とをコンピュータに実行させる情報処理プログラム。
【国際調査報告】
2018146747.tif 000028
2018146747.tif 000029
2018146747.tif 000030
2018146747.tif 000031